(57)【要約】本発明は血糖測定装置及び測定血糖値をインターネット上の血糖値管理サーバに伝送する方法に係る。一実施形態において、血糖測定機能が移動通信端末機に内蔵される。ほかの実施形態において、血糖測定のための最小限の機能のみを備えた血糖測定アダプタが移動通信端末機の接続端子に連結される。また、血糖測定機能が内蔵された移動通信端末機と前記血糖測定アダプタに連結される移動通信端末機は測定された血糖値を血糖値管理サーバに伝送することができる。血糖測定機能が内蔵された移動通信端末機において、移動通信端末機の外側面にストリップケースが設けられ、前記血糖測定アダプタに連結される移動通信端末機においては、血糖測定アダプタの外側面にストリップケースが設けられる。
2005525161.tif 000002
【特許請求の範囲】
【請求項１】
血液が付いたストリップが挿入されるストリップコネクタと、
前記ストリップコネクタのストリップに存在する血液の電流量を測定するセンサ部と、
血糖測定時の温度を測定する温度測定部と、
前記温度測定部から受けた温度に基づき、前記センサ部から受けた電流量を血糖値に変換する信号変換部と、
移動通信基地局と無線通信を行い、血糖測定値をインターネット上の血糖値管理サーバに送信する無線部と、
血糖測定値を表示するディスプレイ部と、
使用者インターフェースのための入力部と、
移動通信端末機内の各機能部を制御し、前記信号変換部から受けた血糖値を前記ディスプレイ部と前記無線部に伝送する中央処理部とを含むことを特徴とする血糖測定機能が内蔵された移動通信端末機。
【請求項２】
前記血糖測定機能が内蔵された移動通信端末機は、血液を付けるのに使用されるストリップを保管するためのストリップ保管ケースが移動通信端末機の外面に付着されることを特徴とする請求項１に記載の血糖測定機能が内蔵された移動通信端末機。
【請求項３】
血液が付いたストリップが挿入されるストリップコネクタと、
前記ストリップコネクタのストリップに存在する血液の電流量を測定するセンサ部と、
血糖測定時の温度を測定する温度測定部と、
前記温度測定部から受けた温度に基づき、前記センサ部から受けた電流量を血糖値に変換する信号変換部と、
移動通信端末機とのシリアル通信を担当して、測定血糖値を移動通信端末機に伝送するシリアルポートと、
外蔵型血糖測定器内の各機能部を制御し、前記信号変換部から受けた血糖値を前記信号変換部に伝送する中央処理部とを含むことを特徴とする移動通信端末機に連結して使用される血糖測定アダプタ。
【請求項４】
前記移動通信端末機に連結して使用される血糖測定アダプタは、血液を付けるのに使用されるストリップを保管するためのストリップ保管ケースが血糖測定アダプタの外面に付着されることを特徴とする請求項３に記載の移動通信端末機に連結して使用される血糖測定アダプタ。
【請求項５】
前記血糖測定機能が内蔵された移動通信端末機又は前記移動通信端末機に連結して使用される血糖測定アダプタにより血糖測定を行った後、インターネット上の所定血糖値管理サーバに移動通信端末機により自動的に接続してログインする段階と、
前記測定された血糖値を無線網を介して前記移動通信端末機によりインターネット上の血糖値管理サーバに伝送する段階とを含むことを特徴とする測定された血糖値を無線網を介して移動通信端末機によりインターネット上の血糖値管理サーバに伝送する方法。
【発明の詳細な説明】
【技術分野】
【０００１】
本発明は血糖を測定するための装置及び測定した血糖値をインターネット上の血糖値管理サーバに伝送する方法に係り、血糖測定機能を移動通信端末機に内蔵させることで、移動通信端末機により血糖測定が行えるようにする装置と、血糖測定のための最小限の機能のみを備えた血糖測定アダプタを移動通信端末機にシリアルポート付着させることにより、血糖測定アダプタで測定した血糖値を移動通信端末機にディスプレイする装置に関するものである。また、血糖測定内蔵型移動通信端末機と血糖測定アダプタに連結された移動通信端末機は測定された血糖測定値をインターネット上の血糖値管理サーバに伝送することができる。
【背景技術】
【０００２】
血糖測定とは血液内の葡萄糖量を測定することをいう。このような血糖測定は、血糖変動が酷いときは毎日行わなければならなく、特に症状が深刻な糖尿病患者又は特定疾患にかかった患者は、一日に多数回の血糖測定が必要である。このような血糖測定は病院で行えるが、測定対象者がひとりで日常生活中に血糖測定を行えるように多様な携帯用血糖測定器が市販されている。このような患者が血糖測定を行うためには、血糖を測定する血糖測定器、血液を採取する採血器／採血針（ランセット）、検査用試験紙であるストリップ、検査結果を記録して血糖の変化を知るための糖尿手帳が必要である。
【０００３】
図１は既存の携帯用血糖測定器１００を示す。血糖測定器の動作原理は、検査用試験紙であるストリップ１３０に血液を付け血糖測定器のコネクタ１２０に差し込むと、自動的に血糖を計算してディスプレイウィンドウ１１０に血糖を表示する。
【０００４】
かかる血糖測定器による血糖測定値を測定記録紙に記録することにより、食事量、運動量、ストレスなどによる血糖変化点検及び観察、血糖管理の指針を提供する。したがって、血糖管理を良く行うと、健康になり、糖尿病に関連した目、腎臓、神経、血管系の合併症の危険を予防することができ、高血糖及び低血糖の原因把握ができるので、迅速な治療が可能である。
【０００５】
しかし、血糖測定器による自己血糖測定のため、使用者は日常生活中にも血糖測定器、ストリップ保管ケース、測定記録紙などを所持していなければならない不便さがある。また、血糖測定後、これを毎度測定記録紙に記録しなければならない不便さがあり、このような記録紙を管理、保管し、後に担当医師に記録紙を見せて処方を受けなければならない不便さがある。
【発明の開示】
【０００６】
本発明は前記問題点を解決するためになされたもので、移動通信端末機又は血糖測定アダプタが血糖測定をするようにして、ストリップ保管ケースを血糖測定アダプタの外側面に設けることにより、使用者が別途の血糖測定器とストリップケースを携帯する必要がないようにする血糖測定装置を提供することをその目的とする。
【０００７】
また、本発明は、血糖測定結果を測定者が自ら記録紙に記録する必要がないように、移動通信端末機が測定結果を自動的にインターネット上の血糖値管理サーバに記録することにより、遠隔の医師が実時間で患者の血糖値が見られるようにして、患者に対する処方及び治療をより容易にすることをそのほかの目的とする。
【０００８】
本発明は、血糖測定アダプタを使用する場合、既存の移動通信端末機をそのまま利用し得る利点があり、既存の携帯用血糖測定器とは異なり、移動通信端末機ディスプレイウィンドウに血糖測定値を表示することにより、既存の携帯用血糖測定器に比べ、携帯が便利であり、サイズ及び価格の面で競争力を有する血糖測定アダプタを提供することをのさらにほかの目的とする。
【発明を実施するための最良の形態】
【０００９】
前記目的を達成するため、本発明は、移動通信端末機を用いて血糖測定を行うために２種の装置を提供する。
【００１０】
その一つは、血糖測定機能を移動通信端末機に内蔵させることで、移動通信端末機で血糖測定が可能であるようにする装置（以下、血糖測定内蔵型移動通信端末機という）に係り、ほかの一つは、血糖測定のための最小限の機能のみを備えたアダプタ（以下、血糖測定アダプタという）を移動通信端末機のシリアルポートに連結して、アダプタで測定した血糖値を移動通信端末機のディスプレイウィンドウに表示するようにする装置に係る。前記血糖測定内蔵型移動通信端末機と血糖測定アダプタが取り付けられた移動通信端末機は、測定された血糖測定値をインターネット上の血糖値管理サーバに伝送する機能をし、ストリップを保管するためのストリップケースは、血糖測定内蔵型移動通信端末機の場合にはその外側面に設けられ、血糖測定アダプタの場合にはその外側面にそれぞれ設けられる。
【００１１】
本発明による血糖測定内蔵型移動通信端末機は、中央処理部と、無線部と、入力部と、採血が付いたストリップが挿入されるストリップコネクタと、血糖の電流値を測定するセンサ部と、温度を測定する温度測定部と、測定した電流値を温度を参考して血糖値に変換する信号変換部と、測定値を移動通信端末機のディスプレイウィンドウに表示するディスプレイ部とを含む。
【００１２】
本発明による血糖測定アダプタは、前記血糖測定内蔵型移動通信端末機内にあるストリップコネクタ、センサ部、温度測定部及び信号変換部に対応する機能をする機能部を備え、そのほかにも血糖測定アダプタの各機能部を制御する中央処理部と、測定した血糖値を移動通信端末機に伝送するシリアルポートとを含む。
【００１３】
以下、図面に基づいて本発明の好ましい実施形態を説明する。
【００１４】
図２及び図３は血糖測定内蔵型移動通信端末機を示し、図４及び図５は血糖測定アダプタを示す。
【００１５】
図２は血糖測定内蔵型移動通信端末機の内部構成ブロック図を示す。
ストリップコネクタ２７０は、血液内のブドウ糖量（血糖）の測定のため、血液が付いたストリップを差し込む部分である。ストリップは血糖測定のための検査用試験紙であって、使用者が採血器又は採血針などで自分の血液を採取してストリップ紙に付けた後、これをストリップコネクタに差し込むことにより、血糖を測定することができる。
【００１６】
センサ部２６０は、血液内の血糖を測定するため、血液内の電流量を測定する部分である。ストリップコネクタ２７０にストリップが挿入される瞬間、自動的にセンサ部２６０が電流量を測定して信号変換部２５０に伝送する。このようなセンシングは使用者の別途の操作なしでストリップがストリップコネクタに差し込まれる瞬間に自動的に行われるため、使用者インターフェースが不要である。
【００１７】
前記センシングは従来の携帯用血糖測定器の動作原理と同一である。すなわち、ブドウ糖がブドウ糖酸化酵素により酸化しながら電子を放出するとき、センサに流れる電流値を読み取ることで血糖を計算するものである。したがって、センサ部２６０は血液内のブドウ糖が酸化するときの電流値を読み出し、これを信号変換部２５０に伝送すると、信号変換部が電流値を血糖値に変換する。
【００１８】
温度測定部２８０は、血糖測定時の現在温度を測定し、これを信号変換部２５０に伝送することにより、温度変化による血糖測定値の誤差が補正できるようにする。
【００１９】
信号変換部２５０は、センサ部２６０から伝送された電流値信号を血糖値に変換して中央処理部２３０に伝送する機能をする。また、温度測定部から伝送された現在温度に基づいて血糖測定値の誤差を補正する。
【００２０】
中央処理部２３０は、移動通信端末機の全ての通信機能部を制御するだけでなく、血糖測定を行う各機能部を制御する役割をする。また、測定された血糖値をディスプレイ部２２０に伝送して、移動通信端末機のディスプレイウィンドウに血糖値を表示することにより、使用者が自分の血糖値を知り得るようにする。
【００２１】
ディスプレイ部２２０は血糖測定値を表示して、使用者に血糖値を見せる。
【００２２】
入力部２４０は移動通信端末機の固有機能である通信のための使用者インターフェースを提供する。
【００２３】
図３は血液が付いているストリップが血糖測定内蔵型移動通信端末機に差し込まれている状態を示す斜視図である。
【００２４】
糖尿値の測定結果が移動通信端末機のディスプレイウィンドウ３１０に示されている。例えば、１２０ｍｇ／ｄｌという血糖測定結果が図３に示されている。
【００２５】
ストリップ３３０のサイズにおいては、既存の携帯用血糖測定器ごとに各測定器のコネクタサイズに合う多様なサイズのストリップがあるように、本発明による血糖測定機能が付加された移動通信端末機内のストリップコネクタに合うサイズのストリップ３００が使用される。この実施形態においては、ストリップが差し込まれるストリップコネクタ３４０が移動通信端末機の側面に設けられた構造が示されているが、移動通信端末機の上端、下端などの多様な部分に設けることもできる。
【００２６】
また、移動通信端末機にはストリップを保管するストリップケース３２０が付着できる。この実施形態においては、移動通信端末機の右側面に設けられた場合を示すが、移動通信端末機の左側面の下端、又は移動通信端末機の背面のバッテリ面などの余裕空間に設けることもできる。
【００２７】
図４は移動通信端末機に連結されて使用される血糖測定アダプタの斜視図である。
【００２８】
血液が付いているストリップ５７０をストリップコネクタ５６０に差し込むと、血糖測定アダプタ５００は血糖値を算出し、血糖測定アダプタのシリアルポート５１０を介して移動通信端末機４００に伝送する。血糖値を受けた移動通信端末機４００は、血糖値を移動通信端末機のディスプレイウィンドウ４１０に表示するとともに、測定値がインターネット上の血糖値管理サーバに記憶されるように、測定値を血糖値管理サーバに伝送する。
【００２９】
ストリップ５７０としては、既存の携帯用血糖測定器に使用されるストリップが使用される。血糖測定アダプタには、ストリップを保管するストリップケース５８０が付着できる。この実施形態においては、ストリップケース５８０が血糖測定アダプタの側面に設けられている構造が示されているが、血糖測定アダプタの正面、背面などの血糖測定アダプタの余裕空間に設けることもできる。
【００３０】
しかし、このような血糖測定アダプタに連結可能な移動通信端末機は、血糖測定アダプタインターフェース用プログラムと血糖値管理サーバに自動的に血糖測定値を報告するプログラムとを含まなければならない。このようなプログラムは製品出荷時に移動通信端末機に内蔵でき、あるいは移動通信端末機のサービスセンタからダウンロードすることにより内蔵することもできる。
【００３１】
図５は血糖測定アダプタの内部ブロック図である。
【００３２】
ストリップコネクタ５６０、センサ部５５０、温度測定部５４０、信号変換部５３０は図２で説明した血糖測定内蔵型移動通信端末機内の対応機能部と同一の機能をするので、ここではその説明を省略し、残りの機能部について説明する。
【００３３】
制御部５２０は、血糖測定アダプタ内の各機能部を制御し、測定された血糖値を移動通信端末機に伝達するため、血糖値データをシリアルポートに伝送する機能をする。
【００３４】
シリアルポート５１０は移動通信端末機とのＲＳ−２３２シリアル通信を担当する部分であって、ケーブルを介して移動通信端末機に連結することもできるが、この実施形態においては、直接移動通信端末機のシリアルポートに血糖測定アダプタを差し込む構造を示した。
【００３５】
図３に示す血糖測定内蔵型移動通信端末機と図４に示す血糖測定アダプタに連結された移動通信端末機は、血糖測定に際して、測定された血糖値をインターネット上の血糖値管理サーバに伝送する機能をする。このため、移動通信端末機は、血糖測定に際して、インターネット上の血糖値管理サーバに自動的に接続した後、使用者ＩＤでログインする。ログインが成功すると、移動通信端末機は無線網を介して血糖値管理サーバに血糖値を伝送する。血糖値管理サーバは、伝送された血糖値を使用者の固有データベース領域に記憶して保管する。このように、血糖値を血糖値管理サーバに自動的に記憶することができるので、従来には使用者が血糖測定後ごとに記録紙（糖尿手帳）に血糖値を記録する面倒さがあったが、本発明によると、このような面倒さがなくされて、使用者の便利性が向上する。また、使用者が糖尿病患者であるため、医師による周期的な血糖値管理が必要な場合、医師が使用者から遠く離れた遠隔地に位置する場合にでも、血糖値管理サーバに記憶された患者の血糖値を実時間で見ることができるので、患者治療及び血糖値管理に大きな助けとなる。
【００３６】
以上本発明を実施形態及び添付図面に基づいて説明したが、本発明の権利範囲はこれらに限定されるものではなく、添付する特許請求の範囲及びその等価物により決定されるものであって、当業者であれば、本発明の精神から逸脱することなく多様な修正及び改造が可能であろう。
【産業上の利用可能性】
【００３７】
以上説明したように、本発明は、従来の血糖測定器とストリップケースの代わりに、移動通信端末機で血糖測定が行えるので、血糖測定しようとする使用者が別途の血糖測定器とストリップケースを携帯しなければならない不便さを解決した。また、血糖測定結果を記録する別途の記録紙なしに、移動通信端末機が測定結果を自動的にインターネット上の血糖値管理サーバに伝送することにより、測定結果を一つ一つ記録紙に記録しなければならない使用者の不便を解消し、遠隔地の医師が測定結果を実時間で観察することができる。
【図面の簡単な説明】
【００３８】
【図１】既存の携帯用血糖測定器を示す平面図である。
【図２】血糖測定機能が内蔵された移動通信端末機の内部ブロック図である。
【図３】血糖測定機能が内蔵された移動通信端末機の斜視図である。
【図４】移動通信端末機と血糖測定アダプタの連結状態を示す斜視図である。
【図５】血糖測定アダプタの内部ブロック図である。
【符号の説明】
【００３９】
１００：携帯用血糖測定器
３００：血糖測定内蔵型移動通信端末機
５００：血糖測定アダプタ
３３０、５７０：ストリップ
【図１】
2005525161.tif 000003
【図２】
2005525161.tif 000004
【図３】
2005525161.tif 000005
【図４】
2005525161.tif 000006
【図５】
2005525161.tif 000007
【国際調査報告】
2005525161.tif 000008
2005525161.tif 000009